(57)【要約】【課題】被清掃面から拭き取った汚れを簡単に洗い落とすことができる携帯用クリーナーを提供する。【解決手段】携帯用クリーナー１は、被清掃面を拭き取るためのセーム皮２と、セーム皮２に取り付けられたストラップ紐３と、を備える。【選択図】図１
0003221372.tif 000002
【実用新案登録請求の範囲】
【請求項１】
被清掃面を拭き取るためのセーム皮と、
前記セーム皮に取り付けられたストラップ紐と、を備える携帯用クリーナー。
【請求項２】
前記ストラップ紐に設けられ、他部材に着脱可能に取り付けられる取付具をさらに備える請求項１に記載の携帯用クリーナー。
【請求項３】
前記セーム皮が、キョンセームクロスからなる、請求項１又は２に記載の携帯用クリーナー。
【考案の詳細な説明】
【技術分野】
【０００１】
本考案は、携帯用クリーナーに関する。
【背景技術】
【０００２】
携帯電話の表示画面や、スマートフォン及びタブレットＰＣ等のタッチパネル画面に付着した指紋や埃等の汚れを拭き取る携帯用クリーナーとして、例えば特許文献１に示すように、小型のカード状に形成されたシート材に、合成繊維からなる拭き布を一体に取り付けて構成されたものがある。
【先行技術文献】
【特許文献】
【０００３】
【特許文献１】実用新案登録第３１６５１７４号公報
【考案の概要】
【考案が解決しようとする課題】
【０００４】
上記携帯用クリーナーを使用すると、拭き布に汚れが付着するため、定期的に洗剤等で拭き布に付着した汚れを洗い落とす必要があり、非常に面倒であった。
本考案は、かかる事情に鑑みてなされたものであり、被清掃面から拭き取った汚れを簡単に洗い落とすことができる携帯用クリーナーを提供することを目的とする。
【課題を解決するための手段】
【０００５】
本考案は、被清掃面を拭き取るためのセーム皮と、前記セーム皮に取り付けられたストラップ紐と、を備える携帯用クリーナーである。
本考案の携帯用クリーナーによれば、セーム皮で被清掃面の汚れを拭き取ることで、その汚れがセーム皮の表面に付着するため、合成繊維のように汚れが繊維の奥に入り込むことがない。このため、ぬるま湯等によりセーム皮に付着した汚れを簡単に洗い落とすことができる。また、セーム皮にストラップ紐を取り付けているため、携帯性にも優れている。
【０００６】
前記携帯用クリーナーは、前記ストラップ紐に設けられ、他部材に着脱可能に取り付けられる取付具をさらに備えるのが好ましい。
この場合、ストラップ紐は、取付具を介して他部材に着脱可能に取り付けられるので、さらに携帯性に優れたものとなる。
【０００７】
前記セーム皮は、キョンセームクロスからなるのが好ましい。
この場合、キョンセームクロスにより被清掃面に付着した細かい汚れを確実に拭き取ることができる。
【考案の効果】
【０００８】
本考案の携帯用クリーナーによれば、被清掃面から拭き取った汚れを簡単に洗い落とすことができる。
【図面の簡単な説明】
【０００９】
【図１】本考案の実施形態に係る携帯用クリーナーの正面図である。
【図２】携帯用クリーナーの取付具の拡大正面図である。
【図３】ストラップ紐の取り付け方法の変形例を示す正面図である。
【図４】ストラップ紐の取り付け方法の他の変形例を示す正面図である。
【図５】ストラップ紐の取り付け方法のさらに他の変形例を示す正面図である。
【考案を実施するための形態】
【００１０】
以下、本考案の実施形態を図面に基づいて説明する。
図１は、本考案の実施形態に係る携帯用クリーナーの正面図である。図１において、携帯用クリーナー１は、被清掃面（例えば、携帯電話の表示画面や、スマートフォン及びタブレットＰＣ等のタッチパネル画面）に付着した指紋や汚れ等を拭き取るものである。
【００１１】
なお、携帯用クリーナー１は、上記表示画面やタッチパネル画面以外に、時計、貴金属類、バイオリン等の楽器、カメラ、及び車両等の他の被清掃面に付着した汚れを拭き取るものであってもよい。
【００１２】
本実施形態の携帯用クリーナー１は、被清掃面を拭き取るためのセーム皮２と、セーム皮２に取り付けられたストラップ紐３と、ストラップ紐３に設けられ、他部材に着脱可能に取り付けられる取付具４とを備えている。
【００１３】
セーム皮２の特性としては、被清掃面の汚れを拭き取ったときに、その汚れがセーム皮２の表面にだけ付着するため、合成繊維のように汚れが繊維の奥に入り込むことがない。このため、セーム皮２をぬるま湯で軽く洗うだけで、セーム皮２に付着した汚れを簡単に洗い落とすことができる。
【００１４】
本実施形態では、セーム皮２として、鹿の一種であるキョンの皮革を油でなめして作られたキョンセームクロスが用いられている。なお、セーム皮２としては、キョンセームクロス以外の天然のセーム皮を用いてもよいし、合成のセーム皮を用いてもよい。また、セーム皮２の形状は、本実施形態に限定されるものではなく、例えばセーム皮２の端切れ（図５参照）をその形状のまま使用してもよい。
【００１５】
ストラップ紐３は、その長手方向の中央部を折り返した状態で、その折り返し部分を、セーム皮２の角部に形成された２つの貫通孔２ａに、図示のように挿入されている。そして、貫通孔２ａに挿入された前記折り返し部分により形成された環状部３ａに、ストラップ紐３の両端部を貫通させることにより、ストラップ紐３はセーム皮２に直接取り付けられている。
【００１６】
図２は、携帯用クリーナー１の取付具４の拡大正面図である。本実施形態の取付具４は、ストラップ紐３が連結される連結杆５と、連結杆５に取り付けられた連結リング６と、連結リング６に取り付けられたスナップフック７とを備えている。連結杆５、連結リング６、及びスナップフック７は、いずれも例えば金属製の部材からなる。
【００１７】
連結杆５は、有底筒状に形成されており、その底部には貫通孔５ａが形成されている。この貫通孔５ａには、外側から内側に向かってストラップ紐３の両端部が挿入され、その両端部の結び目が連結杆５の内部に収容されている。これにより、ストラップ紐３は、連結杆５に取り付けられている。
【００１８】
連結リング６は、有端環状に形成されており、連結杆５の上部を貫通して当該連結杆５に取り付けられている。
スナップフック７は、連結リング６が貫通して連結された環状部１１と、環状部１１に基端部が一体に固定されたフック部１２と、フック部１２の開口を開閉する外れ止め部１３とを有している。
【００１９】
外れ止め部１３は、略Ｖ字状に形成されており、その中間部分は軸部１４を介してフック部１２の基端部に対して揺動可能に取り付けられている。外れ止め部１３の一端部は、フック部１２の開口を開閉する開閉部１３ａとされ、外れ止め部１３の他端部には、フック部１２の外側に突出する爪部１３ｂが形成されている。
【００２０】
外れ止め部１３は、図示を省略するバネ部材の付勢力により、開閉部１３ａがフック部１２の開口を閉鎖した状態（図２に示す状態）で保持されている。この状態から、爪部１３ｂを、バネ部材の付勢力に抗して図２の矢印方向に押し付けると、開閉部１３ａが軸部１４を中心として図２の反時計回り方向に揺動することで、フック部１２の開口が開放される。従って、外れ止め部１３の開閉部１３ａを開閉することで、フック部１２を他部材に着脱可能に取り付けることができる。
なお、取付具４は、他部材に着脱可能に取り付けることができれば、本実施形態の構成に限定されるものではない。
【００２１】
以上、本実施形態の携帯用クリーナー１によれば、セーム皮２で被清掃面の汚れを拭き取ることで、その汚れがセーム皮２の表面に付着するため、合成繊維のように汚れが繊維の奥に入り込むことがない。このため、ぬるま湯等によりセーム皮２に付着した汚れを簡単に洗い落とすことができる。また、セーム皮２にストラップ紐３を取り付けているため、携帯性にも優れている。
【００２２】
また、ストラップ紐３は、取付具４を介して他部材に着脱可能に取り付けられるので、さらに携帯性に優れたものとなる。
また、セーム皮２はキョンセームクロスからなるので、このキョンセームクロスにより被清掃面に付着した細かい汚れを確実に拭き取ることができる。
【００２３】
上述の実施形態はすべて例示であって制限的なものではない。本考案の権利範囲は実用新案登録請求の範囲によって規定され、そこに記載された構成と均等の範囲内のすべての変更は本考案の技術的範囲に含まれる。
【００２４】
例えば、ストラップ紐３のセーム皮２への取り付け方法は、図１に示す方法以外の方法で取り付けてもよい。具体的には、図３に示すように、セーム皮２に１つの貫通孔２ａだけが形成されている場合には、ストラップ紐３の折り返し部分を貫通孔２ａに挿入し、前記折り返し部分により形成された環状部３ａに、ストラップ紐３の両端部を貫通させることにより、ストラップ紐３をセーム皮２に取り付けてもよい。また、図４に示すように、セーム皮２の貫通孔２ａに、取付具４のフック部１２を貫通させることにより、ストラップ紐３をセーム皮２に間接的に取り付けてもよい。
【００２５】
本実施形態の携帯用クリーナー１は、取付具４を備えているが、取付具４を備えていなくてもよい。この場合、例えば、図５に示すように、ストラップ紐３の一端部をセーム皮２の貫通孔２ａに貫通させ、ストラップ紐３の両端部を結び付けることにより、ストラップ紐３をセーム皮２に取り付ければよい。
【符号の説明】
【００２６】
１  携帯用クリーナー
２  セーム皮
３  ストラップ紐
４  取付具
【図１】
0003221372.tif 000003
【図２】
0003221372.tif 000004
【図３】
0003221372.tif 000005
【図４】
0003221372.tif 000006
【図５】
0003221372.tif 000007